(57)【要約】【課題】遠隔地にあるシステムを用いて、検索結果である処理対象が多くなったとしても、利用者は、その処理対象に対して容易に処理を施すことができるようにした情報処理システムを提供する。【解決手段】情報処理システムの受付手段は、利用者を識別できる利用者識別情報を付した検索指示を受け付け、対応付け手段は、前記受付手段によって受け付けた検索指示に基づいて検索された個別の検索結果である処理対象と該処理対象に対して処理を実行させる指示を送信するための宛先に関する宛先情報とを対応付け、送信手段は、前記対応付け手段によって対応付けられた処理対象と宛先情報とを前記利用者識別情報を用いて送信する。【選択図】図１
2008112242.tif 000002
【特許請求の範囲】
【請求項１】
利用者を識別できる利用者識別情報を付した検索指示を受け付ける受付手段と、
前記受付手段によって受け付けた検索指示に基づいて検索された個別の検索結果である処理対象と該処理対象に対して処理を実行させる指示を送信するための宛先に関する宛先情報とを対応付ける対応付け手段と、
前記対応付け手段によって対応付けられた処理対象と宛先情報とを前記利用者識別情報を用いて送信する送信手段
を具備することを特徴とする情報処理システム。
【請求項２】
前記対応付け手段は、前記利用者識別情報毎に、前記宛先に対応する処理対象を対応付ける
ことを特徴とする請求項１に記載の情報処理システム。
【請求項３】
利用者を識別できる利用者識別情報を付した検索指示を受け付ける受付手段と、
前記受付手段によって受け付けた検索指示に基づいて検索を行う検索手段と、
前記検索手段によって検索された個別の検索結果である処理対象と該処理対象に対して処理を実行させる指示を送信するための宛先に関する宛先情報とを対応付ける対応付け手段と、
前記対応付け手段によって対応付けられた処理対象と宛先情報とを前記利用者識別情報を用いて送信する送信手段と、
前記宛先情報に対して送信された指示を受信する受信手段と、
前記受信手段によって受信された宛先情報に応じて、前記対応付け手段によって対応付けられた処理対象に対して処理を実行する処理実行手段
を具備することを特徴とする情報処理システム。
【請求項４】
コンピュータに、
利用者を識別できる利用者識別情報を付した検索指示を受け付ける受付機能と、
前記受付機能によって受け付けた検索指示に基づいて検索された個別の検索結果である処理対象と該処理対象に対して処理を実行させる指示を送信するための宛先に関する宛先情報とを対応付ける対応付け機能と、
前記対応付け機能によって対応付けられた処理対象と宛先情報とを前記利用者識別情報を用いて送信する送信機能
を具備することを特徴とする情報処理プログラム。
【請求項５】
前記対応付け機能は、前記利用者識別情報毎に、前記宛先に対応する処理対象を対応付ける
ことを特徴とする請求項４に記載の情報処理プログラム。
【発明の詳細な説明】
【技術分野】
【０００１】
本発明は、情報処理システムおよび情報処理プログラムに関する。
【背景技術】
【０００２】
利用者の端末から、インターネット等の通信によって遠隔地にあるシステムを利用することが行われている。しかし、利用したいシステムがイントラネット内にある場合は、一般的にファイアウォールで保護されている場合が多いので、イントラネット外にある端末から利用するのは手続き等が困難である。そこで、利用者の端末からシステムへの命令を電子メールを用いて行うことが試みられている。
これらに関連する技術として、例えば、特許文献１には、ファイアウォールで隔絶されたイントラネットシステムに対し、外部からのアクセスを行うことを課題とし、ファイアウォールの内側に設けられたメールサーバ内に設けられたジョブ処理エンジン宛に、外部から電子メールを送信し、この電子メールの本文には、差出人の認識情報とジョブ指示情報とを記述しておき、受信されたメールに対して、差出人認証部において認証が行われ、ジョブ認識部においてジョブ指示が認識され、ジョブ実行部においてジョブが実行され、ジョブの実行結果は、返信メールあるいはＦＡＸとして差出人へ送信されることが開示されている。
また、例えば、特許文献２には、ファイアウォールが設けられているシステムの外部から、そのシステム内のＷＷＷサーバの情報を受け取ることを課題とし、メール受信部は、メールサーバを介してメールクライアントからの電子メールを受信し、メール解析部は、メール内容を電子メールの発信者を示す情報とアクセス内容とに分解し、セキュリティ管理部は、発信者が指定したＵＲＬに対するアクセスが許可されているのか否かを確認し、許可されている場合には、ＨＴＴＰサーバアクセス部が、アクセス内容で示されるＷＷＷサーバにアクセスし、そのＵＲＬで示されるドキュメント位置から情報を受け取り、メール作成部は、その情報を含む返送用の電子メールを作成し、メール送信部は、メールクライアントに電子メールを送信できることが開示されている。
【特許文献１】特開２００２−３５８２７４号公報
【特許文献２】特開２０００−３３０８８５号公報
【発明の開示】
【発明が解決しようとする課題】
【０００３】
本発明は、このような背景技術の状況の中でなされたもので、遠隔地にあるシステムを用いて、検索結果である処理対象が多くなったとしても、利用者は、その処理対象に対して容易に処理を施すことができるようにした情報処理システムおよび情報処理プログラムを提供することを目的としている。
【課題を解決するための手段】
【０００４】
かかる目的を達成するための本発明の要旨とするところは、次の各項の発明に存する。
［１］  利用者を識別できる利用者識別情報を付した検索指示を受け付ける受付手段と、
前記受付手段によって受け付けた検索指示に基づいて検索された個別の検索結果である処理対象と該処理対象に対して処理を実行させる指示を送信するための宛先に関する宛先情報とを対応付ける対応付け手段と、
前記対応付け手段によって対応付けられた処理対象と宛先情報とを前記利用者識別情報を用いて送信する送信手段
を具備することを特徴とする情報処理システム。
【０００５】
［２］  前記対応付け手段は、前記利用者識別情報毎に、前記宛先に対応する処理対象を対応付ける
ことを特徴とする［１］に記載の情報処理システム。
【０００６】
［３］  利用者を識別できる利用者識別情報を付した検索指示を受け付ける受付手段と、
前記受付手段によって受け付けた検索指示に基づいて検索を行う検索手段と、
前記検索手段によって検索された個別の検索結果である処理対象と該処理対象に対して処理を実行させる指示を送信するための宛先に関する宛先情報とを対応付ける対応付け手段と、
前記対応付け手段によって対応付けられた処理対象と宛先情報とを前記利用者識別情報を用いて送信する送信手段と、
前記宛先情報に対して送信された指示を受信する受信手段と、
前記受信手段によって受信された宛先情報に応じて、前記対応付け手段によって対応付けられた処理対象に対して処理を実行する処理実行手段
を具備することを特徴とする情報処理システム。
【０００７】
［４］  コンピュータに、
利用者を識別できる利用者識別情報を付した検索指示を受け付ける受付機能と、
前記受付機能によって受け付けた検索指示に基づいて検索された個別の検索結果である処理対象と該処理対象に対して処理を実行させる指示を送信するための宛先に関する宛先情報とを対応付ける対応付け機能と、
前記対応付け機能によって対応付けられた処理対象と宛先情報とを前記利用者識別情報を用いて送信する送信機能
を具備することを特徴とする情報処理プログラム。
【０００８】
［５］  前記対応付け機能は、前記利用者識別情報毎に、前記宛先に対応する処理対象を対応付ける
ことを特徴とする［４］に記載の情報処理プログラム。
【発明の効果】
【０００９】
請求項１記載の情報処理システムによれば、本構成を有していない場合に比較して、遠隔地にあるシステムを用いて、検索結果である処理対象が多くなったとしても、利用者は、その処理対象に対して容易に処理を施すことができる。
【００１０】
請求項２記載の情報処理システムによれば、請求項１記載の情報処理システムによる効果に加えて、宛先情報を節減することができる。
【００１１】
請求項３記載の情報処理システムによれば、本構成を有していない場合に比較して、遠隔地にあるシステムを用いて、検索結果である処理対象が多くなったとしても、利用者は、その処理対象に対して容易に処理を施すことができ、利便性がより一層向上する。
【００１２】
請求項４記載の情報処理プログラムによれば、本構成を有していない場合に比較して、遠隔地にあるシステムを用いて、検索結果である処理対象が多くなったとしても、利用者は、その処理対象に対して容易に処理を施すことができる。
【００１３】
請求項５記載の情報処理プログラムによれば、請求項４記載の情報処理プログラムによる効果に加えて、宛先情報を節減することができる。
【発明を実施するための最良の形態】
【００１４】
以下、図面に基づき本発明の好適な一実施の形態を説明する。
図１は、本発明の一実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、ハードウェア、装置等によって実現される場合も含まれる。
【００１５】
以下、検索結果のファイルに対する処理として、利用者によって選択されたファイルをプリンタによって印刷処理することを主に例示して説明する。
利用者の端末とシステム間の情報のやりとり（例えば、検索指示や検索結果の提示等）の手段として、電子メールを用いること、また、利用者を識別できる利用者識別情報としてメールアドレスを主に例示して説明する。
【００１６】
本実施の形態は、図１に示すように、メール受信モジュール１１０、検索モジュール１２０、検索処理結果メール生成モジュール１３０、メール送信モジュール１４０、処理モジュール１５０、アドレス−ファイル対応テーブル１６０を有している。
メール受信モジュール１１０は、図１に示すように、検索モジュール１２０、処理モジュール１５０と接続されており、利用者から送信されてきた電子メールを受信する。その電子メールには利用者を識別できる差出人のメールアドレスが付されており、検索指示等が記されている。そして、宛先（より具体的には受信メールボックス）に応じて、受信メールの内容は、検索モジュール１２０または処理モジュール１５０へ渡される。
検索モジュール１２０は、図１に示すように、メール受信モジュール１１０、検索処理結果メール生成モジュール１３０と接続されており、メール受信モジュール１１０から渡された受信メール内の検索指示に従って、文書データベース等の検索を行う。その検索結果（検索指示内のキーワードを含むファイルの名称等）を検索処理結果メール生成モジュール１３０へ渡す。
【００１７】
検索処理結果メール生成モジュール１３０は、図１に示すように、検索モジュール１２０、メール送信モジュール１４０、アドレス−ファイル対応テーブル１６０と接続されており、検索モジュール１２０から渡された個別の検索結果であるファイル名と生成したメールアドレスとを対応付ける。そのメールアドレスは、そのファイルに対して印刷処理を実行させる指示を送信するためのものであり、そのメールアドレスで受信した場合は、メール受信モジュール１１０は受信メールの内容を処理モジュール１５０へ渡す。また、対応付けた結果は、メール送信モジュール１４０およびアドレス−ファイル対応テーブル１６０へ渡す。なお、差出人のメールアドレス毎に、生成したメールアドレスに対応するファイルを対応付けるようにしてもよい。
【００１８】
メール送信モジュール１４０は、図１に示すように、検索処理結果メール生成モジュール１３０と接続されており、検索処理結果メール生成モジュール１３０から渡された対応付けの結果をメール受信モジュール１１０で受信した電子メールの差出人のメールアドレスへ返信する。
処理モジュール１５０は、図１に示すように、メール受信モジュール１１０、アドレス−ファイル対応テーブル１６０と接続されており、メール受信モジュール１１０が受信した電子メールに従って、印刷処理を実行する。その際、受信したメールのメールアドレスに応じて、アドレス−ファイル対応テーブル１６０内に記憶されている対象のファイルを抽出し、そのファイルを印刷する。または、受信したメールのメールアドレスおよび差出人のメールアドレスに応じて、アドレス−ファイル対応テーブル１６０内に記憶されている対象のファイルを抽出し、そのファイルを印刷してもよい。なお、メール受信モジュール１１０が受信した電子メールは、内容が空のメールであってもよい。そのメールアドレスに送信されたことが、対応するファイルを印刷することの指示となる。
アドレス−ファイル対応テーブル１６０は、図１に示すように、検索処理結果メール生成モジュール１３０、処理モジュール１５０と接続されており、検索処理結果メール生成モジュール１３０によって対応付けられた結果を記憶している。また、その結果は処理モジュール１５０によって参照される。
【００１９】
次に図２を用いて、本実施の形態を実施するにあたっての周辺の環境を含めた全体的な構成およびその作用・働き（動作）を説明する。
図２に示す構成は、携帯電話２１０、サーバ２２０、ＰＣ２３０、プリンタ２４０と、サーバ２２０、プリンタ２４０とを接続するイントラネットであるネットワーク２６０と、サーバ２２０と携帯電話２１０を接続するインターネット２５０である。なお、携帯電話２１０とインターネット２５０とは無線による公衆通信回線を介して接続されている。また、インターネット２５０とネットワーク２６０とはファイアウォールを介して接続されている。例えば、サーバ２２０、ＰＣ２３０、プリンタ２４０、ネットワーク２６０は社内で構築されており、これを社員が外部から利用する状況である。
【００２０】
ステップＳ２１では、利用者が携帯電話２１０を用いて、サーバ２２０宛に電子メールを送信する。その電子メールによってＰＣ２３０内の文書ファイルの検索を指示する。検索の指示には、検索用のキーワード、対象のフォルダ等が含まれている。
ステップＳ２２では、サーバ２２０内のメール受信モジュール１１０がその電子メールを受信し、その電子メール内の検索指示に基づいて、検索モジュール１２０が指定されたＰＣ２３０の共有フォルダにアクセスし検索する。サーバ２２０内の検索モジュール１２０は、検索用のキーワードを含んだ文書ファイルの名称を検索結果として取得する。
【００２１】
ステップＳ２３では、検索の結果ヒットしたファイルそれぞれに対し、それに対応するメールアドレスをサーバ２２０内の検索処理結果メール生成モジュール１３０が設定し、メール送信モジュール１４０がその結果を電子メールで携帯電話２１０に返信する。また、その結果をサーバ２２０内のアドレス−ファイル対応テーブル１６０に記憶させる。
図３を用いて、検索結果である文書ファイルとメールアドレスとの対応を説明する。検索結果ファイルとメールアドレスとの対応テーブル３００は、ファイル名欄３０１と対応アドレス欄３０２を有している。ファイル名欄３０１は、ステップＳ２２で検索した結果であるファイル名を記憶する欄であり、対応アドレス欄３０２は、ステップＳ２３でファイルに対応させて生成したメールアドレスを記憶する欄である。メールアドレスの生成は、ファイル毎に異なるように生成する。例えば、順番に００１から「００１＠ｍａｉｌａｄｄ．ｃｏ．ｊｐ、００２＠ｍａｉｌａｄｄ．ｃｏ．ｊｐ、・・・」のように生成する、またはファイル名に日時を組み合わせて生成する等である。
【００２２】
また、利用者のメールアドレス（ステップＳ２１で携帯電話２１０からサーバ２２０へ電子メールを送信した際のメール差出人のメールアドレス）毎に、検索結果に対応付けるメールアドレスを生成してもよい。つまり、検索処理結果メール生成モジュール１３０で生成するメールアドレスは、メール差出人毎に独立しており、メール差出人が異なれば、同一のメールアドレスであっても、異なるファイルを対応させることができる。具体的に図４を用いて説明する。検索結果ファイルとメールアドレスとの対応テーブル４００は、メール宛先欄４０１とメール差出人欄４０２を有している。メール宛先欄４０１は、図３の対応アドレス欄３０２に対応し、ステップＳ２３でファイルに対応させて生成したメールアドレスを記憶する欄である。ただし、生成するメールアドレスは、メール差出人毎に独立している。メール差出人欄４０２は、メール差出人を記憶する欄であり、メール差出人毎に欄が分かれている。例えば、２人の携帯電話２１０からそれぞれ検索指示のメールが送信されてきた場合、図４に示すように、Ｕｓｅｒ＿Ａ＠ｍａｉｌａｄｄ．ｃｏ．ｊｐ、Ｕｓｅｒ＿Ｂ＠ｍａｉｌａｄｄ．ｃｏ．ｊｐの欄が生成される。そして、Ｕｓｅｒ＿Ａ＠ｍａｉｌａｄｄ．ｃｏ．ｊｐに対して、検索処理結果メール生成モジュール１３０が生成するメールアドレス「００１＠ｍａｉｌａｄｄ．ｃｏ．ｊｐ」は、ファイル「Ｆｉｌｅ  Ａ」に対応しており、Ｕｓｅｒ＿Ｂ＠ｍａｉｌａｄｄ．ｃｏ．ｊｐに対しては、同一のメールアドレス「００１＠ｍａｉｌａｄｄ．ｃｏ．ｊｐ」は、ファイル「Ｆｉｌｅ  Ｃ」に対応している。
【００２３】
また、図５を用いて、ステップＳ２３で検索処理結果メール生成モジュール１３０が生成する電子メールの内容の具体例を説明する。検索結果送信メール５００は、件名等５０１とメール本文５０２があり、メール本文５０２には検索結果と対応メールアドレス５０３を記載する。検索結果と対応メールアドレス５０３は図３で示した検索結果ファイルとメールアドレスとの対応テーブル３００の内容、または図４で示した対応するメール差出人に対応する検索結果ファイルとメールアドレスとの対応テーブル４００の内容である。
【００２４】
ステップＳ２４では、サーバ２２０から返信されてきた電子メールを携帯電話２１０が受信し、利用者は印刷したいファイルに対応するメールアドレスを検索結果画面上で選択することでメールを送信する。例えば、図５で示した検索結果と対応メールアドレス５０３内の００１＠ｍａｉｌａｄｄ．ｃｏ．ｊｐまたは００２＠ｍａｉｌａｄｄ．ｃｏ．ｊｐ宛に電子メールを送信する。
ステップＳ２５では、サーバ２２０内のメール受信モジュール１１０がステップＳ２４での電子メールを受信し、処理モジュール１５０がアドレス−ファイル対応テーブル１６０内の対応テーブルを参照して、その電子メールの宛先に応じて、対応するファイルをＰＣ２３０より抽出し、プリンタ２４０を用いて印刷する。例えば、Ｕｓｅｒ＿Ａ＠ｍａｉｌａｄｄ．ｃｏ．ｊｐから００１＠ｍａｉｌａｄｄ．ｃｏ．ｊｐ宛のメールを受信すれば、Ｆｉｌｅ  Ａを印刷する。
【００２５】
なお、本実施の形態としてのプログラムが実行されるコンピュータ（サーバ２２０）のハードウェア構成は、図６に示すように、サーバとなりうる一般的なコンピュータであり、具体的にはメール受信モジュール１１０、検索モジュール１２０、検索処理結果メール生成モジュール１３０、メール送信モジュール１４０、処理モジュール１５０等のプログラムを実行するＣＰＵ９０１と、そのプログラムやデータを記憶するＲＡＭ９０２と、本コンピュータを起動するためのプログラム等が格納されているＲＯＭ９０３と、アドレス−ファイル対応テーブル１６０の内容等を記憶する補助記憶装置であるＨＤ９０４と、キーボード、マウス等のデータを入力する入力装置９０６と、ＣＲＴや液晶ディスプレイ等の出力装置９０５と、通信ネットワークと接続するための通信回線インタフェース９０７、そして、それらをつないでデータのやりとりをするためのバス９０８により構成されている。これらのコンピュータが複数台互いにネットワークによって接続されていてもよい。
【００２６】
なお、図６に示すハードウェア構成は、１つの構成例を示すものであり、本実施の形態は、図６に示す構成に限らず、本実施の形態において説明したモジュールを実行可能な構成であればよい。例えば、一部のモジュールを専用のハードウェア（例えばＡＳＩＣ等）で構成してもよい。また、特に、パーソナルコンピュータの他、複写機、ファックス、スキャナ、プリンタ、複合機（多機能複写機とも呼ばれ、スキャナ、プリンタ、複写機、ファックス等の機能を有している）などに組み込まれていてもよい。
【００２７】
前記実施の形態においては、検索結果のファイルに対する処理として、利用者によって選択されたファイルの印刷処理を示したが、利用者によって選択されたファイルを共有ドロワーに格納し、予め定めた関係者に格納した旨をアナウンスするメール等を送信するような処理、選択されたファイルを削除する処理、選択されたファイルに対して翻訳する処理等であってもよい。
また、前記実施の形態においては、利用者の端末とシステム間の情報のやりとりの手段として、電子メールを用いる例を示したが、チャット、オンラインでの指示等でもよい。その場合の利用者識別情報はログイン名等になる。ただし、ファイアウォールが設けられている場合は、電子メールを用いることが適している。また、ネットワーク２６０はイントラネットに限らない。
また、検索処理結果メール生成モジュール１３０ではファイルとメールアドレスとを対応付けたが、さらに処理装置を対応付けるようにしてもよい。例えば、ファイルの他にそのファイルの印刷を行うプリンタを対応させてもよい。つまり、印刷を行うプリンタを利用者が指定できるようになる。その場合は、１つのファイルに対して複数のメールアドレスを対応付ける。
また、利用者が使用する端末として携帯電話２１０を示したが、これに限られず、ＰＨＳ（Ｐｅｒｓｏｎａｌ  Ｈａｎｄｙｐｈｏｎｅ  Ｓｙｓｔｅｍ）、通信機能を有した携帯型のＰＤＡ（Ｐｅｒｓｏｎａｌ  Ｄｉｇｉｔａｌ  Ａｓｓｉｓｔａｎｔ）、パソコン等でもよく、通信速度、端末の処理能力等が低い場合、またはパケット料金による経済的理由がある場合に特に適している。
また、ＰＣ２３０内には文書ファイルを格納しているデータベースを構築しており、検索はそのデータベースを対象にしてもよい。
【００２８】
なお、説明したプログラムについては、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【図面の簡単な説明】
【００２９】
【図１】本実施の形態の構成例についての概念的なモジュール構成図である。
【図２】本実施の形態の具体的な構成例および処理を示す説明図である。
【図３】検索結果であるファイルとメールアドレスの対応テーブルのデータ構成例を示す説明図である。
【図４】検索結果であるファイルとメールアドレスの対応テーブルのデータ構成例を示す説明図である。
【図５】検索結果送信メールの内容例を示す説明図である。
【図６】本実施の形態を実現するコンピュータのハードウェア構成例を示すブロック図である。
【符号の説明】
【００３０】
１１０…メール受信モジュール
１２０…検索モジュール
１３０…検索処理結果メール生成モジュール
１４０…メール送信モジュール
１５０…処理モジュール
１６０…アドレス−ファイル対応テーブル
２１０…携帯電話
２２０…サーバ
２３０…ＰＣ
２４０…プリンタ
２５０…インターネット
２６０…ネットワーク
【図１】
2008112242.tif 000003
【図２】
2008112242.tif 000004
【図３】
2008112242.tif 000005
【図４】
2008112242.tif 000006
【図５】
2008112242.tif 000007
【図６】
2008112242.tif 000008